(57)【要約】【課題】携帯時に保冷容器が揺動しないように的確に保持すると共に、保冷容器の着脱動作が簡易な飲料容器を提供する。【解決手段】上部に開口部２ｈを有する有底筒状のボトル２と、ボトル２の開口部２ｈに着脱可能な蓋体１と、ボトル２の開口部２ｈを介してボトル２に出し入れ可能なサイズの保冷容器３と、保冷容器３を着脱可能に保持する保冷容器保持部４と、を有する。保冷容器保持部４は、蓋体１に設けられ、ボトル２に蓋体１を取付けた閉状態において蓋体１を足場として保冷容器３をボトル２の内部に吊り下げた状態で保持する。【選択図】図２
0003183775.tif 000002
【実用新案登録請求の範囲】
【請求項１】
上部に開口部を有する有底筒状のボトルと、前記ボトルの開口部に着脱可能な蓋体と、前記ボトルの開口部を介して前記ボトルに出し入れ可能なサイズの保冷容器と、前記保冷容器を着脱可能に保持する保冷容器保持部と、を備え、
前記保冷容器保持部は、前記蓋体に設けられ、前記ボトルに前記蓋体を取付けた閉状態において前記蓋体を足場として前記保冷容器を前記ボトルの内部に吊り下げた状態で保持することを特徴とする飲料容器。
【請求項２】
前記保冷容器保持部及び前記保冷容器は、螺旋溝及び螺旋突起の嵌り合い構造により着脱可能に構成されている請求項１に記載の飲料容器。
【請求項３】
前記蓋体は、飲料の導出口及び当該導出口の周縁から起立する筒状の飲み口部を有し、
前記保冷容器保持部は、ボトル軸方向に沿って見た場合に、前記導出口と重ならない位置に配置されている請求項１又は２に記載の飲料容器。
【考案の詳細な説明】
【技術分野】
【０００１】
本考案は、蓄冷された保冷容器をボトルの内部に吊り下げた状態で保持する飲料容器に関する。
【背景技術】
【０００２】
従来から、蓄冷された保冷容器をボトルの内部に吊り下げた状態で保持する飲料容器が知られている。例えば、水や保冷剤などを充填した保冷容器を冷凍庫などで冷凍し、蓄冷された保冷容器をボトルの内部に吊り下げた状態で保持することにより、ボトルに収容した飲料を長時間保冷することが可能となる。
【０００３】
このような飲料容器の一例として、特許文献１には、飲料を収容するボトルと、ボトルの開口部に着脱可能な蓋体と、保冷容器と、ボトルの上部に載置され保冷容器を着脱可能に保持する保冷容器保持部と、を備える飲料容器が開示されている。この飲料容器は、ボトルに蓋体を取付けた閉状態において保冷容器保持部がボトル及び蓋体で挟まれ、保冷容器保持部がボトル及び蓋体を足場として保冷容器をボトルの内部に吊り下げ状態で保持する構造を有する。
【０００４】
他の飲料容器の一例として、特許文献２には、飲料を収容するボトルと、ボトルの開口部に着脱可能な蓋体と、保冷容器と、ボトルの上部に着脱可能に取付けられ保冷容器を着脱可能に保持する保冷容器保持部と、を備える飲料容器が開示されている。この飲料容器は、保冷容器保持部がボトルを足場として保冷容器をボトルの内部に吊り下げ状態で保持する構造を有する。
【先行技術文献】
【特許文献】
【０００５】
【特許文献１】特開２００３−３１２７０６号公報
【特許文献２】特許第４４２９３６７号公報
【考案の概要】
【考案が解決しようとする課題】
【０００６】
しかしながら、特許文献１のように、保冷容器保持部がボトル及び蓋体で挟まれる構造では、製造誤差に起因して、ボトル及び蓋体で保冷容器保持部を隙間なく挟み込むことは難しい。そのために、ボトル及び蓋体と、保冷容器保持部との間に隙間が生じ、飲料容器の携帯時に保冷容器ががたついて揺動し、揺れが大きい場合にはボトルに接触して異音を発生するおそれがある。
【０００７】
一方、特許文献２のように、保冷容器保持部がボトルに取付けられる構造では、保冷容器が保冷容器保持部を介してボトルに取付けられるので、保冷部材を適切に保持して揺動を防止することができる。しかし、特許文献１及び２の飲料容器はいずれも、保冷容器をボトルから取り外すときに、まず、ボトルから蓋体を取り外し、次に、ボトルから保冷容器保持部を取り外し、その後、保冷容器保持部から保冷容器を取り外すという３つの作業が必要となる。保冷容器は使用（冷凍又は冷却）する度にボトルから取り出す必要があるので、保冷容器の着脱動作は可能な限り簡易であることが求められる。
【０００８】
本考案は、このような課題に着目してなされたものであって、その目的は、携帯時に保冷容器が揺動しないように的確に保持すると共に、保冷容器の着脱動作が簡易な飲料容器を提供することである。
【課題を解決するための手段】
【０００９】
本考案は、かかる目的を達成するために、次のような手段を講じたものである。
【００１０】
すなわち、本考案の飲料容器は、上部に開口部を有する有底筒状のボトルと、前記ボトルの開口部に着脱可能な蓋体と、前記ボトルの開口部を介して前記ボトルに出し入れ可能なサイズの保冷容器と、前記保冷容器を着脱可能に保持する保冷容器保持部と、を備え、前記保冷容器保持部は、前記蓋体に設けられ、前記ボトルに前記蓋体を取付けた閉状態において前記蓋体を足場として前記保冷容器を前記ボトルの内部に吊り下げた状態で保持することを特徴とする。
【００１１】
このように、保冷容器を着脱可能に保持する保冷容器保持部が蓋体に設けられているので、保冷容器をボトルから取り出すときに、ボトルから蓋体を取り外す動作を行えば、保冷容器が蓋体と一体となって蓋体と同時にボトルから取り出せるので、次に、保冷容器支持部から保冷容器を取り外せば、２つの作業ですむ。それでいて、保冷容器保持部は蓋体に設けられているので、携帯時に保冷容器が揺動しないように保持可能な構造となる。したがって、携帯時に保冷容器が揺動しないように的確に保持できるとともに、保冷容器の着脱動作を低減した飲料容器を提供することが可能となる。
【００１２】
保冷容器保持部及び保冷容器を的確に固定するには、前記保冷容器保持部及び前記保冷容器は、螺旋溝及び螺旋突起の嵌り合い構造により着脱可能に構成されていることが好ましい。
【００１３】
スムーズな飲み心地を提供するためには、前記蓋体は、飲料の導出口及び当該導出口の周縁から起立する筒状の飲み口部を有し、前記保冷容器保持部は、ボトル軸方向に沿って見た場合に、前記導出口と重ならない位置に配置されていることが好ましい。
【考案の効果】
【００１４】
本考案は、以上説明した構成であるから、携帯時に保冷容器が揺動しないように的確に保持できるとともに、保冷容器の着脱動作を低減した飲料容器を提供することが可能となる。
【図面の簡単な説明】
【００１５】
【図１】本考案の第一実施形態に係る飲料容器を示す正面図。
【図２】図１におけるＡ−Ａ部位断面図。
【図３】本考案の第二実施形態に係る飲料容器を示す正面図。
【図４】図２におけるＢ−Ｂ部位断面図。
【考案を実施するための形態】
【００１６】
以下、本考案の一実施形態を、図面を参照して説明する。
【００１７】
＜第一実施形態＞
図１及び図２に示すように、本実施形態の飲料容器は、いわゆる水筒で、蓋体を片手で開くことを可能にするとともに、コップを用いなくとも飲み口部から直接飲むことを可能にした水筒である。この飲料容器は、ボトル２に収納される飲料を保冷した状態で持ち運ぶために用いられる。飲料容器は、上部に開口部２ｈを有する有底筒状のボトル２と、ボトル２の開口部２ｈに着脱可能な蓋体１と、保冷容器３と、保冷容器３を着脱可能に保持する保冷容器保持部４とを有する。
【００１８】
ボトル２は、その筒壁及び筒底壁が金属製（ステンレス）又はガラス製の真空二重構造をなし、筒内外で熱を遮蔽する断熱機能を有する。勿論、ボトル２は、有底筒状であれば、これに限定されるものではない。例えば、樹脂などで形成してもよく、また、真空二重構造でなくてもよい。ボトル２の上部外周面には、蓋体１を取付けるための螺旋溝２ｕが形成されている。
【００１９】
蓋体１は、飲み口部１０ａを有する有頂筒状の蓋本体１０と、蓋本体１０に取付けられ、飲み口部１０ａを塞ぐ閉塞位置と閉塞位置から退避する開き位置との間を移動可能な蓋カバー１１と、蓋カバー１１をロックするロック機構１２とを有する。蓋本体１０は、プラスチックなどで形成され、筒部の内周面にボトルに取付けるための螺旋突起１０ｕが形成されている。図２に示すように、閉じ状態では、パッキン１６を介在させて蓋体１はボトル２に水密に取付けられる。蓋カバー１１は、奥側に設定された水平軸Ｃ回りに回転可能に蓋本体１０に取付けられている。これにより、蓋カバー１１は、閉塞位置と開き位置の間を移動可能に構成されている。蓋カバー１１には、蓋カバー１１を閉じ状態にしたときに、飲み口部１０ａの先端を封止するゴム製の飲み口パッキン１１ａが設けられている。蓋カバー１１の他端には、ロック機構１２と係合するための爪１１ｂが形成されている。ロック機構１２は、蓋本体１０の外周面手前側に配置され、蓋カバー１１に係合して蓋カバー１１を閉塞位置に保持する状態と保持を解除する状態とを切り替え可能に構成されている。具体的に、ロック機構１２は、蓋カバー１１の爪１１ｂと干渉する干渉位置と非干渉位置の間を回転により姿勢変更可能な回転爪１３と、回転爪１３の回転を禁止する回転禁止位置と回転許容位置の間をスライド動作により位置変更可能なストッパ１４と、回転爪１３を干渉位置に向けて付勢するコイルバネ等を用いた付勢部１５とを有する。このロック機構１２は、周知の構造であるため、詳細な説明は省略する。
【００２０】
保冷容器３は、内部に蓄冷剤を収容している。本実施形態では、ボトル内部の飲料収容空間ＳＰの寸法に合わせた長尺状（棒状）に形成されており、上端の外周面に螺旋溝３ｕが形成されている。保冷容器３の断面はほぼ円形をなし、その断面寸法は、ボトル２の開口部２ｈの内径よりも小さく形成されている。これにより、保冷容器３はボトル２の開口部２ｈを介してボトル２に出し入れ可能なサイズに設定されている。なお、蓄冷剤は、水でもよいが、冷却又は冷凍を繰り返し使用するために適したものとして、例えば、高吸水性樹脂（ポリアクリル酸ナトリウム等）、防腐剤、形状安定剤、増粘剤などを用いることが好ましい。
【００２１】
保冷容器保持部４は、蓋体１に設けられ、ボトル２に蓋体１を取付けた閉状態において蓋体１を足場として保冷容器３をボトル２の内部に吊り下げた状態で保持する。具体的には、保冷容器保持部４は、有頂筒状部位を有し、筒部の内周面に、保冷容器３の螺旋溝３ｕに対応する螺旋突起４ｕが形成されている。これにより、保冷容器保持部４及び保冷容器３は、螺旋溝３ｕ及び螺旋突起４ｕの嵌り合い構造により着脱可能に構成される。保冷容器保持部４は、蓋本体１０の内面に超音波溶着により取付けられている。保冷容器保持部４は、ボトル軸方向に沿って見た場合に飲み口部１０ａの導出口と重ならない位置に配置されている。
【００２２】
上記飲料容器は、次のように使用する。すなわち、保冷容器３を再度冷却又は冷凍するために取り外すときは、まず、蓋体１をボトル２に対して回転させることにより、ボトル２から蓋体１を取り外す。このとき、保冷容器保持部４は蓋体１に一体に設けられているので、保冷容器３も一体となってボトル２から取り出されることになる。次に、保冷容器３を保冷容器保持部４に対して回転させることにより、保冷容器保持部４から保冷容器３を取り外す。冷却又は冷凍した保冷容器３を取付けるときも上記の逆の手順により実現できる。このように、ボトル２から蓋体１を取り外す第１の工程を実施すれば、保冷容器３もボトル２から同時に取り出されるので、保冷容器３を保持部４から取り外す第２の工程を実施するだけでよい。
【００２３】
以上のように、本実施形態の飲料容器は、上部に開口部２ｈを有する有底筒状のボトル２と、ボトル２の開口部２ｈに着脱可能な蓋体１と、ボトル２の開口部２ｈを介してボトル２に出し入れ可能なサイズの保冷容器３と、保冷容器３を着脱可能に保持する保冷容器保持部４と、を備え、保冷容器保持部４は、蓋体１に設けられ、ボトル２に蓋体１を取付けた閉状態において蓋体１を足場として保冷容器３をボトル２の内部に吊り下げた状態で保持するように構成されている。
【００２４】
このように、保冷容器３を着脱可能に保持する保冷容器保持部４が蓋体１に設けられているので、保冷容器３をボトル２から取り出すときに、ボトル２から蓋体１を取り外す動作を行えば、保冷容器３が蓋体１と一体となって蓋体１と同時にボトル２から取り出せるので、次に、保冷容器保持部４から保冷容器３を取り外せば、２つの作業ですむ。それでいて、保冷容器保持部４は蓋体１に設けられているので、携帯時に保冷容器３が揺動しないように保持可能な構造となる。したがって、携帯時に保冷容器３が揺動しないように的確に保持できるとともに、保冷容器３の着脱動作を低減した飲料容器を提供することが可能となる。
【００２５】
さらに、本実施形態では、保冷容器保持部４及び保冷容器３は、螺旋溝３ｕ及び螺旋突起４ｕの嵌り合い構造により着脱可能に構成されているので、両者を的確に固定することが可能となり、携帯に好ましくなる。
【００２６】
さらに、本実施形態では、蓋体１は、飲料の導出口及び導出口の周縁から起立する筒状の飲み口部１０ａを有し、保冷容器保持部４は、ボトル軸方向に沿って見た場合に、導出口と重ならない位置に配置されている。この構成によれば、ボトル２の飲料が導出口を通る場合に、ボトル２の内部において保冷容器保持部４が飲料の流れを遮らず、突発的な吹き出しなどを抑制して、スムーズな飲み心地を提供することが可能となる。
【００２７】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００２８】
例えば、本実施形態では、保冷容器３と保冷容器保持部４とには、螺旋突起４ｕ及び螺旋溝３ｕが形成されているが、螺旋ではなく、ただ単に突起及び溝でもかまわない。
【００２９】
本実施形態では、蓋体１とボトル２との取付けに螺旋溝２ｕ及び螺旋突起１０ｕが採用されているが、溝と突起の関係は逆でもよい。保冷容器３と保冷容器保持部４に関しても同様である。
【００３０】
＜第二実施形態＞
第一実施形態では、飲料容器として片手持ち可能なサイズの水筒を例に挙げたが、図３及び図４に示すように、把手付きの大容量飲料容器であるスポーツ用ジャグであってもよい。具体的には、飲料容器（スポーツジャグ）は、上部に開口部１０２ｈを有する有底筒状のボトル１０２と、ボトル１０２の開口部１０２ｈに着脱可能な蓋体１０１と、保冷容器１０３と、保冷容器１０３を着脱可能に保持する保冷容器保持部１０４と、ボトル１０２に設けられた把手１００とを有する。
【００３１】
ボトル１０２は、その筒壁及び筒底壁が樹脂又はプラスチック製の二重構造をなし、筒内外で熱を遮蔽する断熱機能を有する。ボトル１０２の上部外周面には、蓋体１０１を取付けるための螺旋溝１０２ｕが形成されている。
【００３２】
蓋体１０１は、飲み口部１１０ａを有する有頂筒状の蓋本体１１０と、蓋本体１１０に取付けられ、飲み口部１１０ａを塞ぐ閉塞位置と閉塞位置から退避する開き位置との間を移動可能な蓋カバー１１１と、蓋カバー１１１をロックするロック機構１１２とを有する。蓋本体１１０は、筒部の内周面にボトルに取付けるための螺旋突起１１０ｕが形成されている。
【００３３】
保冷容器１０３は、内部に蓄冷剤を収容している。保冷容器１０３の上端の外周面に螺旋溝１０３ｕが形成されている。保冷容器保持部１０４は、蓋体１０１に設けられ、ボトル１０２に蓋体１０１を取付けた閉状態において蓋体１０１を足場として保冷容器１０３をボトル１０２の内部に吊り下げた状態で保持する。保冷容器保持部１０４は、有頂筒状部位を有し、筒部の内周面に、保冷容器１０３の螺旋溝１０３ｕに対応する螺旋突起１０４ｕが形成されている。その他の構成は、第一実施形態とほぼ同じである。
【００３４】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００３５】
１…蓋体
１０ａ…飲み口部
２…ボトル
２ｈ…ボトルの開口部
３…保冷容器
３ｕ…螺旋溝
４…保冷容器保持部
４ｕ…螺旋突起
【図１】
0003183775.tif 000003
【図２】
0003183775.tif 000004
【図３】
0003183775.tif 000005
【図４】
0003183775.tif 000006